(57)【特許請求の範囲】
【請求項１】
多孔質シートに微生物を担持させた複数枚のプレート状担体が、互いに接触しないように積み重ねられた第１のプレート積層領域と、
前記第１のプレート積層領域と同様に、多孔質シートに微生物を担持させた複数枚のプレート状担体が、互いに接触しないように積み重ねられた第２のプレート積層領域と、
被処理ガスが、前記第１のプレート積層領域をプレート状担体の積み重ね方向と略平行な方向に通過した後、前記第２のプレート積層領域をプレート状担体の積み重ね方向と略平行な方向に通過するようなガス流路を構成するガス流路構成機構と、
前記第１のプレート積層領域及び前記第２のプレート積層領域の上部又は下部において、前記第１のプレート積層領域のプレート状担体を、前記第２のプレート積層領域に移行させる第１のプレート状担体移行手段と、
前記第１のプレート積層領域及び前記第２のプレート積層領域の上部又は下部（前記第１のプレート状担体移行手段が配設されていないほう）において、前記第２のプレート積層領域のプレート状担体を、前記第１のプレート積層領域に移行させる第２のプレート状担体移行手段と
を具備しており、
複数枚のプレート状担体が、順次、第１のプレート積層領域から第２のプレート積層領域に移行するとともに、第２のプレート積層領域から第１のプレート積層領域に移行することにより、プレート状担体が、順次、第１のプレート積層領域と第２のプレート積層領域を循環するように構成されていること
を特徴とする可動循環型生物脱臭装置。
【請求項２】
前記多孔質シートが、多孔質繊維状のポリビニルアルコールからなるものであることを特徴とする請求項１記載の可動循環型生物脱臭装置。
【請求項３】
前記プレート状担体を構成する多孔質シートには、直径が０．５〜５cmの複数の円形孔が略均等な間隔で形成されており、かつ、積層されたプレート状担体を構成する各多孔質シートのうちの互いに隣接する多孔質シートの円形孔が、平面的にみた場合に互いに重ならないような態様で各プレート状担体が積み重ねられていることを特徴とする請求項１又は２記載の可動循環型生物脱臭装置。
【請求項４】
前記第１のプレート積層領域と前記第２のプレート積層領域を循環するプレート状担体に、循環中の所定の領域で水が供給されるように構成されていることを特徴とする請求項１〜３のいずれかに記載の可動循環型生物脱臭装置。
【請求項５】
前記第１のプレート積層領域と前記第２のプレート積層領域の下部が、水を溜める貯水部となっており、第１のプレート積層領域と第２のプレート積層領域を循環するプレート状担体が、前記貯水部を通過する際に水に浸漬されるように構成されていることを特徴とする請求項１〜４のいずれかに記載の可動循環型生物脱臭装置。
【請求項６】
前記貯水部の液面高さを調整するための液面調整機構と、
前記貯水部の液面高さに応じて被処理ガスを導入するガス導入口、及び、処理された被処理ガスを排出するガス排出口の高さを調整するガス導入・排出位置調整機構と
を備えていることを特徴とする請求項５に記載の可動循環型生物脱臭装置。
【請求項７】
前記貯水部内の水の溶存酸素濃度を検出する溶存酸素計と、
前記溶存酸素計と連動して稼働し、前記貯水部内の水の溶存酸素濃度が所定の範囲に保持されるように貯水部に空気を送って散気を行う散気手段と
を備えていることを特徴とする請求項５又は６記載の可動循環型生物脱臭装置。
【請求項８】
前記第１のプレート状担体移行手段が、第１のプレート積層領域の最上部のプレート状担体を、第２のプレート積層領域の最上部に移行させるものであり、かつ、
前記第２のプレート状担体移行手段が、第２のプレート積層領域の最下部のプレート状担体を、第１のプレート積層領域の最下部に移行させるものであって、
前記第１のプレート状担体移行手段が、第１のプレート積層領域のプレート状担体を、少なくとも一枚のプレート状担体の厚み分だけ上方に押し上げる第１のリフトと、前記第１のリフトにより押し上げられた第１のプレート積層領域の最上部のプレート状担体を略水平方向にスライドさせて、第２のプレート積層領域の、最上部のプレート状担体の上面側に移行させる第１のスライダーとを具備してなり、かつ、
前記第２のプレート状担体移行手段が、第１のプレート積層領域のプレート状担体を、少なくとも一枚のプレート状担体の厚み分だけ上方に押し上げる前記第１のリフトと、第２のプレート積層領域の最下部のプレート状担体を除いた、下から２番目以降のプレート状担体を上方に押し上げる第２のリフトと、第２のプレート積層領域の最下部のプレート状担体をスライドさせて、第１のプレート積層領域の、前記第１のリフトにより押し上げられた最下部のプレート状担体の下面側に移行させる第２のスライダーとを具備してなるものであること
を特徴とする請求項１〜７のいずれかに記載の可動循環型生物脱臭装置。
【発明の詳細な説明】
【０００１】
【発明の属する技術分野】
本発明は、微生物を利用した脱臭装置に関し、詳しくは、多孔質シートに微生物を担持させた複数枚のプレート状担体を積み重ねた領域を、プレート状担体の積み重ね方向に略平行に被処理ガスを通過させることにより、被処理ガス中の悪臭成分を除去して脱臭を行う可動循環型生物脱臭装置に関する。
【０００２】
【従来の技術及び発明が解決しようとする課題】
近年、下水処理施設、畜産業、食品加工業などを対象とした脱臭技術として、微生物を利用して脱臭を行う生物脱臭法が普及しつつある。
【０００３】
そして、従来は、微生物を担持させる微生物担体として、土壌、ピート、コンポストなど、天然由来の物質が中心として用いられてきたが、近年では、セラミックに代表される無機物質や各種樹脂などが数多く提案されるに至っている。
【０００４】
これらの多くは、通常、粒状の充填物として充填塔内に充填されて用いられており、充填塔の上部から散水して微生物の活性を維持しつつ、充填塔下部から被処理ガスを通気することにより、脱臭処理を行っている。
【０００５】
また、最近の技術として、シート状担体を用いる方法や、シート状担体の回転体を用いる方法（例えば、シート状担体を取り付けた無端ベルトを走行させることにより、シート状担体を循環（回転）させる方法）などが提案されているが、これらの方法は、いずれも、シート状担体に均一に水分を供給して、微生物の活性を確実に維持することを主たる目的としている。
【０００６】
ところで、生物脱臭法において、処理効率を向上させるためには、充填塔などの被処理ガスを処理すべき領域（処理領域）において、微生物の活性の均質化を実現することが不可欠であり、そのためには、微生物に対する被処理ガス中の悪臭成分の負荷を処理領域全体で均一にすることが必要となる。
【０００７】
そして、そのための方法として、例えば、被処理ガスの導入口と排出口を定期的に切り換える（すなわち、一定期間ごとに、導入口を排出口とし、排出口を導入口とする）方法などが考えられるが、その場合にも、導入口から、その途中部分を経て、排出ロに至るまでの間において、微生物の活性に差異が生じることを避けることは困難である。
【０００８】
本発明は、上記問題点を解決するものであり、被処理ガスを処理すべき処理領域における、微生物への被処理ガス（悪臭成分）の負荷の偏りを抑制し、被処理ガスの負荷変動に対応して、効率よく被処理ガス中の悪臭成分を除去することが可能な可動循環型生物脱臭装置を提供することを目的とする。
【０００９】
【課題を解決するための手段】
上記目的を達成するために、本発明（請求項１）の可動循環型生物脱臭装置は、
多孔質シートに微生物を担持させた複数枚のプレート状担体が、互いに接触しないように積み重ねられた第１のプレート積層領域と、
前記第１のプレート積層領域と同様に、多孔質シートに微生物を担持させた複数枚のプレート状担体が、互いに接触しないように積み重ねられた第２のプレート積層領域と、
被処理ガスが、前記第１のプレート積層領域をプレート状担体の積み重ね方向と略平行な方向に通過した後、前記第２のプレート積層領域をプレート状担体の積み重ね方向と略平行な方向に通過するようなガス流路を構成するガス流路構成機構と、
前記第１のプレート積層領域及び前記第２のプレート積層領域の上部又は下部において、前記第１のプレート積層領域のプレート状担体を、前記第２のプレート積層領域に移行させる第１のプレート状担体移行手段と、
前記第１のプレート積層領域及び前記第２のプレート積層領域の上部又は下部（前記第１のプレート状担体移行手段が配設されていないほう）において、前記第２のプレート積層領域のプレート状担体を、前記第１のプレート積層領域に移行させる第２のプレート状担体移行手段と
を具備しており、
複数枚のプレート状担体が、順次、第１のプレート積層領域から第２のプレート積層領域に移行するとともに、第２のプレート積層領域から第１のプレート積層領域に移行することにより、プレート状担体が、順次、第１のプレート積層領域と第２のプレート積層領域を循環するように構成されていること
を特徴としている。
【００１０】
第１のプレート積層領域と、第２のプレート積層領域と、被処理ガスが前記第１のプレート積層領域をプレート状担体の積み重ね方向と略平行な方向に通過した後、前記第２のプレート積層領域をプレート状担体の積み重ね方向と略平行な方向に通過するようなガス流路を構成するガス流路構成機構と、第１のプレート状担体移行手段と、第２のプレート状担体移行手段とを備えた構成とし、複数枚のプレート状担体を、順次、第１のプレート積層領域から第２のプレート積層領域に移行させるとともに、第２のプレート積層領域から第１のプレート積層領域に移行させることにより、プレート状担体が、順次、第１のプレート積層領域と第２のプレート積層領域を循環する。したがって、被処理ガスを所定の位置に配設されたガス導入口から導入し、所定の位置に配設されたガス排出口から排出するようにした場合にも、各プレート状担体が移動して、第１のプレート積層領域と第２のプレート積層領域を循環しているため、各プレート状担体への被処理ガスの負荷（すなわち、除去対象成分である悪臭成分の負荷）を均質にすることが可能になり、効率よく安定した生物脱臭処理を行うことが可能になる。
【００１１】
なお、本発明において、「複数枚のプレート状担体を、互いに接触しないように積み重ねて」とは、プレート状担体を構成する多孔質シートが実質的に接触しないように積み重ねることを意味するものであり、例えば、微生物を担持させた多孔質シートに枠体を取り付けることによりプレート状担体が形成されている場合に、枠体が互いに接するように積み重ねられることを排除するものではない。
【００１２】
また、本発明において、多孔質シートに担持させて、繁殖させる微生物としては、被処理ガスの種類などに応じて、種々のものを選択して用いることが可能である。
【００１３】
また、請求項２の可動循環型生物脱臭装置は、前記多孔質シートが、多孔質繊維状のポリビニルアルコールからなるものであることを特徴としている。
【００１４】
多孔質シートとして、多孔質繊維状のポリビニルアルコールからなるシートを用いた場合、微生物を効率よく担持させることが可能になる。また、ポリビニルアルコールが経済性に優れており、かつ、種々の特性のものを容易に入手することができるため、本発明をより実効あらしめることが可能になる。
【００１５】
また、請求項３の可動循環型生物脱臭装置は、前記プレート状担体を構成する多孔質シートには、直径が０．５〜５cmの複数の円形孔が略均等な間隔で形成されており、かつ、積層されたプレート状担体を構成する各多孔質シートのうちの互いに隣接する多孔質シートの円形孔が、平面的にみた場合に互いに重ならないような態様で各プレート状担体が積み重ねられていることを特徴としている。
【００１６】
プレート状担体を構成する多孔質シートに、直径が０．５〜５cmの複数の円形孔を略均等な間隔で形成し、かつ、隣接するプレート状担体の多孔質シートに形成された各円形孔が、平面的にみた場合に互いに重ならないような態様でプレート状担体を積み重ねた構成とした場合、被処理ガスがショートパスすることを防止して、被処理ガスを各多孔質シート（プレート状担体）に均一に、しかも密に接触させることが可能になり、生物脱臭処理の効率を向上させることが可能になる。
【００１７】
また、請求項４の可動循環型生物脱臭装置は、前記第１のプレート積層領域と前記第２のプレート積層領域を循環するプレート状担体に、循環中の所定の領域で水が供給されるように構成されていることを特徴とするとしている。
【００１８】
第１のプレート積層領域と第２のプレート積層領域を循環するプレート状担体に、循環中の所定の領域で水が供給されるようにした場合、微生物の活性を確実に維持して、効率よく生物脱臭処理を行うことが可能になる。
なお、プレート状担体に水を供給する方法としては、プレート状担体を水に浸漬する方法や水を散布する方法などを用いることが可能である。
【００１９】
また、請求項５の可動循環型生物脱臭装置は、前記第１のプレート積層領域と前記第２のプレート積層領域の下部が、水を溜める貯水部となっており、第１のプレート積層領域と第２のプレート積層領域を循環するプレート状担体が、前記貯水部を通過する際に水に浸漬されるように構成されていることを特徴としている。
【００２０】
第１のプレート積層領域と第２のプレート積層領域の下部を貯水部とし、第１のプレート積層領域と第２のプレート積層領域を循環するプレート状担体を、この貯水部で水に浸漬させるようにした場合、プレート状担体に確実に水を供給して、微生物の活性を確実に維持することが可能になり、効率よく生物脱臭処理を行うことが可能になる。
【００２１】
また、請求項６の可動循環型生物脱臭装置は、
前記貯水部の液面高さを調整するための液面調整機構と、
前記貯水部の液面高さに応じて被処理ガスを導入するガス導入口、及び、処理された被処理ガスを排出するガス排出口の高さを調整するガス導入・排出位置調整機構と
を備えていることを特徴としている。
【００２２】
貯水部の液面高さを調整する液面調整機構と、貯水部の液面高さに応じて被処理ガスを導入するガス導入口、及び、処理された被処理ガスを排出するガス排出口の高さを調整するガス導入・排出位置調整機構とを備えた構成とすることにより、被処理ガスとプレート状担体（多孔質シート）との接触条件や、プレート状担体の水への浸漬条件などを調整して、さらに効率よく生物脱臭処理を行うことが可能になる。
【００２３】
また、請求項７の可動循環型生物脱臭装置は、
前記貯水部内の水の溶存酸素濃度を検出する溶存酸素計と、
前記溶存酸素計と連動して稼働し、前記貯水部内の水の溶存酸素濃度が所定の範囲に保持されるように貯水部に空気を送って散気を行う散気手段と
を備えていることを特徴としている。
【００２４】
貯水部内の水の溶存酸素濃度を検出する溶存酸素計と、溶存酸素計と連動して稼働し、貯水部内の水の溶存酸素濃度が所定の範囲に保持されるように貯水部に空気を送って散気を行う散気手段を備えた構成とした場合、微生物の活性をさらに確実に維持することが可能になり、効率よく生物脱臭処理を行うことが可能になる。
【００２５】
また、請求項８の可動循環型生物脱臭装置は、
前記第１のプレート状担体移行手段が、第１のプレート積層領域の最上部のプレート状担体を、第２のプレート積層領域の最上部に移行させるものであり、かつ、
前記第２のプレート状担体移行手段が、第２のプレート積層領域の最下部のプレート状担体を、第１のプレート積層領域の最下部に移行させるものであって、
前記第１のプレート状担体移行手段が、第１のプレート積層領域のプレート状担体を、少なくとも一枚のプレート状担体の厚み分だけ上方に押し上げる第１のリフトと、前記第１のリフトにより押し上げられた第１のプレート積層領域の最上部のプレート状担体を略水平方向にスライドさせて、第２のプレート積層領域の、最上部のプレート状担体の上面側に移行させる第１のスライダーとを具備してなり、かつ、
前記第２のプレート状担体移行手段が、第１のプレート積層領域のプレート状担体を、少なくとも一枚のプレート状担体の厚み分だけ上方に押し上げる前記第１のリフトと、第２のプレート積層領域の最下部のプレート状担体を除いた、下から２番目以降のプレート状担体を上方に押し上げる第２のリフトと、第２のプレート積層領域の最下部のプレート状担体をスライドさせて、第１のプレート積層領域の、前記第１のリフトにより押し上げられた最下部のプレート状担体の下面側に移行させる第２のスライダーとを具備してなるものであること
を特徴としている。
【００２６】
第１のプレート状担体移行手段が、第１のプレート積層領域のプレート状担体を、少なくとも一枚のプレート状担体の厚み分だけ上方に押し上げる第１のリフトと、第１のリフトにより押し上げられた第１のプレート積層領域の最上部のプレート状担体を略水平方向にスライドさせて、第２のプレート積層領域の最上部のプレート状担体の上面側に移行させる第１のスライダーとを備え、第２のプレート状担体移行手段が、第１のプレート積層領域のプレート状担体を、少なくとも一枚のプレート状担体の厚み分だけ上方に押し上げる第１のリフトと、第２のプレート積層領域の最下部のプレート状担体を除いた、下から２番目以降のプレート状担体を上方に押し上げる第２のリフトと、第２のプレート積層領域の最下部のプレート状担体をスライドさせて、第１のプレート積層領域の、前記第１のリフトにより押し上げられた最下部のプレート状担体の下面側に移行させる第２のスライダーとを備えた構成とした場合、複数枚のプレート状担体を、順次、第１のプレート積層領域から第２のプレート積層領域に移行させるとともに、第２のプレート積層領域から第１のプレート積層領域に移行させて、第１のプレート積層領域と第２のプレート積層領域を確実に循環させることが可能になり、被処理ガスを所定の位置に配設されたガス導入口から導入し、所定の位置に配設されたガス排出口から排出するようにした場合にも、各プレート状担体が移動して、第１のプレート積層領域と第２のプレート積層領域を循環しているため、各プレート状担体への被処理ガスの負荷を均質にすることが可能になり、効率よく安定した生物脱臭処理を行うことが可能になる。
【００２７】
【発明の実施の形態】
以下、本発明の実施形態を示してその特徴とするところをさらに詳しく説明する。
【００２８】
図１は、本発明の一実施形態にかかる可動循環型生物脱臭装置の構成を示す図である。
この実施形態の、可動循環型生物脱臭装置は、塔本体５内に設けられた、多孔質シート１０に微生物を担持させた複数枚のプレート状担体１を、多孔質シート１０が互いに接触しないように積み重ねてなる第１のプレート積層領域１１、及び第１のプレート積層領域１１と同様に、多孔質シート１０に微生物を担持させた複数枚のプレート状担体１を、多孔質シート１０が互いに接触しないように積み重ねてなる第２のプレート積層領域１２と、被処理ガスが第１のプレート積層領域１１をプレート状担体１の積み重ね方向と平行な方向（矢印Ａの方向）に通過した後、第２のプレート積層領域をプレート状担体の積み重ね方向と平行な方向（矢印Ｂの方向）に通過するようなガス流路２を構成するガス流路構成機構３と、第１のプレート積層領域１１及び第２のプレート積層領域１２の上部において、第１のプレート積層領域１１の最上部のプレート状担体１（１ａ）を、第２のプレート積層領域１２に移行させる第１のプレート状担体移行手段２１と、第１のプレート積層領域１１及び第２のプレート積層領域１２の下部において、第２のプレート積層領域１２の最下部のプレート状担体１（１ｂ）を、第１のプレート積層領域１１に移行させる第２のプレート状担体移行手段２２とを備えており、複数枚のプレート状担体１が、第１のプレート状担体移行手段２１より、第１のプレート積層領域１１から第２のプレート積層領域１２に移行するとともに、第２のプレート状担体移行手段２２により、第２のプレート積層領域１２から第１のプレート積層領域１１に移行することにより、プレート状担体１が、順次、第１のプレート積層領域１１と第２のプレート積層領域１２を循環する循環ループが形成されるように構成されている。
【００２９】
なお、この実施形態の可動循環型生物脱臭装置においては、プレート状担体１が、被処理ガスの流れ方向と同一方向にプレート状担体１が循環するように構成されているとともに、プレート状担体１の循環の速度を変えることができるように構成されている。
【００３０】
また、この実施形態では、プレート状担体１を構成する、微生物を担持させる多孔質シート１０として、多孔質繊維状のポリビニルアルコールからなるものが用いられている。
また、多孔質シート１０には、例えば、図２(ａ)，(ｂ)に示すように、直径が０．５〜５cmの複数の円形孔４が略均等な間隔で形成されている。そして、各プレート状担体１は、図３に示すように、多孔質シート１０に形成された円形孔４が、平面的にみた場合に互いに重ならないような態様で積み重ねられており、被処理ガスがショートパスすることがなく、微生物と確実にしかも密に接触するように構成されている。
【００３１】
なお、プレート状担体１は、図２(ａ)，(ｂ)に示すように、多孔質シート１０の周囲に環状の枠体１０ａを取り付けることにより形成されており、枠体１０ａには、多孔質シート１０が所定の間隔をおいて積み重ねられるように、スペーサとしても機能する突起部１０ｂが配設されている。
【００３２】
また、この実施形態の可動循環型生物脱臭装置においては、第１のプレート積層領域１１と第２のプレート積層領域１２の下部（すなわち、塔本体５の下部）が、水を溜める貯水部７となっており、第１のプレート積層領域１１と第２のプレート積層領域１２を循環するプレート状担体１がこの貯水部７を通過することにより、水に浸漬され、多孔質プレート１０に水が供給されるように構成されている。
【００３３】
また、この実施形態の可動循環型生物脱臭装置においては、塔本体５と、塔本体５内に配設され、第１のプレート積層領域１１と第２のプレート積層領域１２を仕切るとともに、塔本体５の上部においては両者を連通させ、被処理ガスが第１のプレート積層領域１１から第２のプレート積層領域１２に流入できるようにするための仕切板６がガス流路構成機構３を構成している。なお、塔本体５の下部は、上述のように貯水部７となっており、水が溜められているため、塔本体５の下部において、第１のプレート積層領域１１と第２のプレート積層領域１２が連通して、被処理ガスのショートパスが発生することはない。
【００３４】
また、この実施形態の可動循環型生物脱臭装置においては、貯水部７の液面高さを調整するための液面調整機構８と、貯水部７の液面高さに応じて被処理ガスを導入するガス導入口、及び、処理された被処理ガスを排出するガス排出口の高さを調整するガス導入・排出位置調整機構９とを備えている。
【００３５】
なお、上記液面調整機構８は、給水管１３を取り付けるフランジ１４を高さ方向に異なる位置に３箇所配設することにより構成されている。
【００３６】
また、ガス導入・排出位置調整機構９は、被処理ガスの導入管１５を取り付けるためのフランジ１６を高さ方向に異なる位置に３箇所配設するとともに、被処理ガスの排出管１７を取り付けるためのフランジ１８を高さ方向に異なる位置に３箇所配設することにより形成されている。なお、被処理ガスの導入管１５には、ブロア１５ａが配設されている。
【００３７】
さらに、この実施形態の可動循環型生物脱臭装置は、貯水部７内の水の溶存酸素濃度を検出する溶存酸素計１９と、溶存酸素計１９と連動して稼働し、貯水部７内の水の溶存酸素濃度が所定の範囲に保持されるように貯水部７に空気を送って散気を行う散気手段（ばっ気用エアポンプ）２０を備えている。
【００３８】
また、この実施形態の可動循環型生物脱臭装置において、第１のプレート積層領域１１の最上部のプレート状担体１（１ａ）を第２のプレート積層領域１２の最上部に移行させる第１のプレート状担体移行手段２１は、第１のプレート積層領域１１のプレート状担体１を少なくとも一枚のプレート状担体１の厚み以上の距離だけ上方に押し上げる第１のリフト３１と、第１のリフト３１により押し上げられた第１のプレート積層領域１１の最上部のプレート状担体１（１ａ）を略水平方向にスライドさせて、第２のプレート積層領域１２の最上部に移行させる第１のスライダー４１から形成されている。
【００３９】
また、第２のプレート積層領域１２の最下部のプレート状担体１（１ｂ）を第１のプレート積層領域１１の最下部に移行させる第２のプレート状担体移行手段２２は、第１のプレート積層領域１１のプレート状担体１を、少なくとも一枚のプレート状担体１の厚み以上の距離だけ上方に押し上げる第１のリフト３１と、第２のプレート積層領域１２の最下部のプレート状担体１（１ｂ）を除いた、２番目以降のプレート状担体１を上方に押し上げる第２のリフト３２と、第２のプレート積層領域１２の最下部のプレート状担体１（１ｂ）をスライドさせて、第１のプレート積層領域１１の最下部に移行させる第２のスライダー４２などから形成されている。
【００４０】
この実施形態の可動循環型生物脱臭装置においては、微生物を担持させたプレート状担体１が、複数個の円形孔４を備えた、繊維状ポリビニールアルコール板からなる多孔質シート１０から形成されているため、圧力損失が少なく、微生物を効率よく担持することが可能な多孔質の構造体（プレート状担体）１を、コストの増大を招くことなく、容易に得ることが可能になる。したがって、従来の生物脱臭装置に比べて、通気時の圧力損失が少なく、しかも、被処理ガスとの接触効率が高い構造体を確保することが可能になる。
【００４１】
また、プレート状担体が循環するように構成されているため、第１のプレート積層領域１１と第２のプレート積層領域１２を循環する各プレート状担体１への、被処理ガスの負荷（すなわち、除去対象成分である悪臭成分の負荷）に大きな偏りが生じることを防止して、生物脱臭処理を、効率よく安定して実施することができる。
【００４２】
また、プレート状担体１の循環の速度を変えることができるように構成されていることから、被処理ガスの悪臭成分濃度や、被処理ガスの量などに応じて、適切な循環速度とすることが可能になり、さらに効率のよい生物脱臭処理を行うことができる。
【００４３】
また、この実施形態の可動循環型生物脱臭装置においては、貯水部７の液面高さを調整するための液面調整機構８と、貯水部７の液面高さに応じて被処理ガスを導入するガス導入口、及び、処理された被処理ガスを排出するガス排出口の高さを調整するガス導入・排出位置調整機構９とを備えているため、被処理ガスとプレート状担体１との接触条件や、プレート状担体１の水への浸漬条件などを調整することが可能になり、高負荷や、負荷変動などに対する追随性を飛躍的に向上させることができるようになり、さらに効率よく生物脱臭処理を行うことが可能になる。
【００４４】
また、本発明において、多孔質シートに担持させて、繁殖させる微生物としては、被処理ガスの種類により種々のものを用いることが可能であるが、主要な有効微生物が好気性、嫌気性のいずれであるか、あるいは従属栄養性、独立栄養性のいずれかなどにより、適切な供給水量や、供給水の組成（溶存酸素濃度など）を選択することが必要になる。
なお、従属栄養微生物の繁殖促進のための栄養源供給は、従来の装置でも可能であったが、本発明の可動循環型生物脱臭装置では、プレート状担体の水への浸漬と、酸素供給の有無により、好気性のみならず嫌気性の微生物の生育環境をも設定することが可能であり、窒素化合物の脱窒作用等による無害化も期待される。
【００４５】
なお、本発明は上記実施形態に限定されるものではなく、プレート状担体や、プレート状担体移行手段の構成などに関し、発明の要旨の範囲内において、種々の応用、変形を加えることが可能である。
【００４６】
【発明の効果】
上述のように、本発明（請求項１）の可動循環型生物脱臭装置は、第１のプレート積層領域と、第２のプレート積層領域と、被処理ガスが、前記第１のプレート積層領域をプレート状担体の積み重ね方向と略平行な方向に通過した後、前記第２のプレート積層領域をプレート状担体の積み重ね方向と略平行な方向に通過するようなガス流路を構成するガス流路構成機構と、第１のプレート状担体移行手段と、第２のプレート状担体移行手段とを備えた構成とし、複数枚のプレート状担体を、順次、第１のプレート積層領域から第２のプレート積層領域に移行させるとともに、第２のプレート積層領域から第１のプレート積層領域に移行させるようにしているので、プレート状担体が、順次、第１のプレート積層領域と第２のプレート積層領域を循環する。したがって、被処理ガスを所定の位置に配設されたガス導入口から導入し、所定の位置に配設されたガス排出口から排出するようにした場合にも、各プレート状担体が移動して、第１のプレート積層領域と第２のプレート積層領域を循環しているため、各プレート状担体への被処理ガスの負荷を均質にすることが可能になり、効率よく安定した生物脱臭処理を行うことが可能になる。
【００４７】
また、請求項２の可動循環型生物脱臭装置のように、多孔質シートとして、多孔質繊維状のポリビニルアルコールからなるシートを用いた場合、微生物を効率よく担持させることが可能になる。また、ポリビニルアルコールが経済性に優れており、かつ、種々の特性のものを容易に入手することができるため、本発明をより実効あらしめることができる。
【００４８】
また、請求項３の可動循環型生物脱臭装置のように、プレート状担体を構成する多孔質シートに、直径が０．５〜５cmの複数の円形孔を略均等な間隔で形成し、かつ、隣接するプレート状担体の多孔質シートに形成された各円形孔が、平面的にみた場合に互いに重ならないような態様でプレート状担体を積み重ねた構成とした場合、被処理ガスがショートパスすることを防止して、被処理ガスを各多孔質シート（プレート状担体）に均一に、しかも密に接触させることが可能になり、生物脱臭処理の効率を向上させることができる。
【００４９】
また、請求項４の可動循環型生物脱臭装置のように、第１のプレート積層領域と第２のプレート積層領域を循環するプレート状担体に、循環中の所定の領域で水が供給されるようにした場合、微生物の活性を確実に維持して、効率よく生物脱臭処理を行うことが可能になる。
【００５０】
また、請求項５の可動循環型生物脱臭装置のように、第１のプレート積層領域と第２のプレート積層領域の下部を貯水部とし、第１のプレート積層領域と第２のプレート積層領域を循環するプレート状担体を、この貯水部で水に浸漬させるようにした場合、プレート状担体に確実に水を供給して、微生物の活性を確実に維持することが可能になり、効率よく生物脱臭処理を行うことが可能になる。
【００５１】
また、請求項６の可動循環型生物脱臭装置のように、貯水部の液面高さを調整する液面調整機構と、貯水部の液面高さに応じて被処理ガスを導入するガス導入口、及び、処理された被処理ガスを排出するガス排出口の高さを調整するガス導入・排出位置調整機構とを備えた構成とした場合、被処理ガスとプレート状担体（多孔質シート）との接触条件や、プレート状担体の水への浸漬条件などを調整して、さらに効率よく生物脱臭処理を行うことが可能になる。
【００５２】
また、請求項７の可動循環型生物脱臭装置のように、貯水部内の水の溶存酸素濃度を検出する溶存酸素計と、溶存酸素計と連動して稼働し、貯水部内の水の溶存酸素濃度が所定の範囲に保持されるように貯水部に空気を送って散気を行う散気手段を備えた構成とした場合、微生物の活性をさらに確実に維持することが可能になり、効率よく生物脱臭処理を行うことが可能になる。
【００５３】
また、請求項８の可動循環型生物脱臭装置のように、第１のプレート状担体移行手段が、第１のプレート積層領域のプレート状担体を、少なくとも一枚のプレート状担体の厚み分だけ上方に押し上げる第１のリフトと、第１のリフトにより押し上げられた第１のプレート積層領域の最上部のプレート状担体を略水平方向にスライドさせて、第２のプレート積層領域の最上部のプレート状担体の上面側に移行させる第１のスライダーとを備え、第２のプレート状担体移行手段が、第１のプレート積層領域のプレート状担体を、少なくとも一枚のプレート状担体の厚み分だけ上方に押し上げる第１のリフトと、第２のプレート積層領域の最下部のプレート状担体を除いた、下から２番目以降のプレート状担体を上方に押し上げる第２のリフトと、第２のプレート積層領域の最下部のプレート状担体をスライドさせて、第１のプレート積層領域の、前記第１のリフトにより押し上げられた最下部のプレート状担体の下面側に移行させる第２のスライダーとを備えた構成とした場合、複数枚のプレート状担体を、順次、第１のプレート積層領域から第２のプレート積層領域に移行させるとともに、第２のプレート積層領域から第１のプレート積層領域に移行させて、第１のプレート積層領域と第２のプレート積層領域を確実に循環させることが可能になり、被処理ガスを所定の位置に配設されたガス導入口から導入し、所定の位置に配設されたガス排出口から排出するようにした場合にも、各プレート状担体が移動して、第１のプレート積層領域と第２のプレート積層領域を循環しているため、各プレート状担体への被処理ガスの負荷を均質にすることが可能になる。
【図面の簡単な説明】
【図１】  本発明の一実施形態にかかる可動循環型生物脱臭装置の構成を示す図である。
【図２】  (ａ)は本発明の一実施形態にかかる可動循環型生物脱臭装置において用いられているプレート状担体１の構成を示す正面断面図、(ｂ)は平面図である。
【図３】  本発明の一実施形態にかかる可動循環型生物脱臭装置において用いられているプレート状担体を積み重ねた場合における多孔質シートの積層状態を模式的に示す断面図である。
【符号の説明】
１          プレート状担体
１ａ        第１のプレート積層領域の最上部のプレート状担体
１ｂ        第２のプレート積層領域の最下部のプレート状担体
２          ガス流路
３          ガス流路構成機構
４          多孔質シートに形成された円形孔
５          塔本体
６          仕切板
７          貯水部
８          液面調整機構
９          ガス導入・排出位置調整機構
１０        多孔質シート
１０ａ      枠体
１０ｂ      枠体に形成された突起部
１１        第１のプレート積層領域
１２        第２のプレート積層領域
１３        給水管
１４        給水管を取り付けるフランジ
１５        被処理ガスの導入管
１５ａ      ブロア
１６        被処理ガスの導入管を取り付けるフランジ
１７        被処理ガスの排出管
１８        被処理ガスの排出管を取り付けるフランジ
１９        溶存酸素計
２０        散気手段（ばっ気用エアポンプ）
２１        第１のプレート状担体移行手段
２２        第２のプレート状担体移行手段
３１        第１のリフト
３２        第２のリフト
４１        第１のスライダー
４２        第２のスライダー
Ａ，Ｂ      被処理ガスの流れ方向
【図１】
0003799213.tif 000002
【図２】
0003799213.tif 000003
【図３】
0003799213.tif 000004